(57)【特許請求の範囲】
【請求項１】
載置板部、及び、該載置板部の両側に設けられた両側壁を有する冷蔵用起立載置台であって、流動性液体を柔軟性の袋の中に収容した、起立したときに該載置板部の前後方向に倒れ易い、柔軟性物品を載置する冷蔵用起立載置台において、
起立状態の該柔軟性物品の底部に接触して該柔軟性物品の底部に該載置板部の前後方向に長くなる凹状の溝を形成するための、起立壁、棒状材及びコイルばねから選ばれる一つの材料で構成された突状部を該載置板部の表面上に該載置板部の前端から後端にかけて設けて、該凹状の溝の両側を該載置板部に接触させると共に該両側壁に接触させることにより、該柔軟性物品を安定して起立させるようにし、且つ、
該載置板部に、冷蔵品収容庫内の冷気が通過する冷気循環孔を設けた
ことを特徴とする柔軟性物品の冷蔵用起立載置台。
【請求項２】
前記冷蔵品収容庫内に収容された冷蔵用起立載置台における載置板部には、冷気に接触する露出面が形成され、前記載置板部を貫通する冷気循環孔が、前記露出面から進入した冷気が前記冷蔵用起立載置台上の柔軟性物品を冷却する位置に設けられていることを特徴とする請求項１記載の柔軟性物品の冷蔵用起立載置台。
【請求項３】
前記冷蔵品収容庫内に収容された冷蔵用起立載置台における載置板部が、該冷蔵用起立載置台の両端部に固着される網材により構成されることを特徴とする請求項１記載の柔軟性物品の冷蔵用起立載置台。
【請求項４】
対向して設けられた一対の棒状の前端部及び棒状の後端部の間に棒状の支持部材を設けた冷蔵用起立載置台であって、流動性液体を柔軟性の袋の中に収容した、起立したときに該支持部材の前後方向に倒れ易い、柔軟性物品を載置する冷蔵用起立載置台において、
（ａ）該棒状の前端部の両側端から下方に屈曲して延びる脚部、（ｂ）該棒状の後端部の両側端から下方に屈曲して延びる脚部、（ｃ）該前端部の両側端から下方に屈曲して延びる脚部と該後端部の両側端から下方に屈曲して延びる脚部とをそれぞれ連結する左右の連結棒、及び、（ｄ）該棒状の前端部の中間部分の上面と該棒状の後端部の中間部分の上面とを連結した棒状の支持部材、を設けて、冷蔵品収容庫に載置されたときに、該棒状の前端部及び該棒状の後端部並びに該左右の連結棒の内側に冷蔵品収容庫内の冷気が通過可能な空間部を形成するようにし、そして、該起立状態の柔軟性物品の底部に厚さ方向に長くなる凹状の溝を形成するようにして、該凹状の溝の両側を該支持部材に接触させると共に該連結棒に接触させたことを特徴とする柔軟性物品の冷蔵用起立載置台。
【請求項５】
前記冷蔵品収容庫が、前面にガラス扉が設けられたリーチイン（冷蔵展示販売庫）であることを特徴とする請求項１〜４のいずれか１項に記載の柔軟性物品の冷蔵用起立載置台。
【発明の詳細な説明】
【０００１】
【発明の属する技術分野】
本発明は、起立状態に載置したときに極めて倒れ易くなる柔軟性物品を、安定した起立状態に保持し、冷蔵品収容庫内に収容して効率よく冷却することができる柔軟性物品の冷蔵用起立載置台に関する。
【０００２】
【従来の技術】
栄養分を多量に含んだ美味な健康飲料は、飲み易く、しかも、平常不足しがちな栄養源を補充することができるので、ますます需要の拡大が見込まれている。  健康飲料の容器には、一般的に壜や缶が使用されているが、飲み終わった後の容器が大きなごみとなるので、容器を回収して資源を再利用することが望まれているが、未だ回収率は低い。
【０００３】
最近、ゼリー状の清涼飲食水を柔軟性の袋１の中に詰め、袋１の上部に設けた筒部２に雄ねじを設け、この雄ねじに螺合する雌ねじを有するキャップ３で密封した健康食品である商品Ｂが開発されている（図１参照）。
この商品Ｂは、柔軟性の袋１を押圧することにより内部の流動性の清涼飲食水が筒部２から押し出されるので飲み易く、飲み終わった空容器は偏平な小容積となるので、廃棄し易くごみ処理問題が生じないなどの利点がある。
【０００４】
【発明が解決しようとする課題】
この商品Ｂを商店の陳列棚に載置して配列する場合、顧客に商品が見え易くなるように起立状態に載置すると、底部４の接触面積が少なく、且つ、ゼリー状等の流動性液体を包装している柔軟性の袋１が、流動性液体の影響を受けて変形し易いため、起立状態に保持することができない。
商品Ｂを倒伏状態にして陳列棚上に上下方向に載置した場合には、顧客の目に止まり難くなり、しかも、陳列棚の占有床面積が大きくなるので、陳列棚の収容効率が低下する問題がある。
【０００５】
清涼飲食水の賞味期間を長くするために、或いは、味覚を向上するために、商品Ｂを冷却しながら展示する場合には、内部が透視できる冷蔵品収容庫のなかに収容する商品Ｂを、顧客の注目をひくためにも、冷却効果を高めるためにも起立状態にして展示する必要がある。
本発明はかかる課題を解決するものであり、柔軟性物品の特性を逆に利用して柔軟性物品を転倒し難い形状に変形させるものであり、健康食品である商品Ｂに限らず流動性の液体を包装した柔軟性物品を安定して起立させ、冷却し易くすることができる柔軟性物品の冷蔵用起立載置台を提供するものである。
【０００６】
【課題を解決するための手段】
請求項１に記載された発明は、上記目的を達成するために、載置板部、及び、該載置板部の両側に設けられた両側壁を有する冷蔵用起立載置台であって、流動性液体を柔軟性の袋の中に収容した、起立したときに該載置板部の前後方向に倒れ易い、柔軟性物品を載置する冷蔵用起立載置台において、
起立状態の該柔軟性物品の底部に接触して該柔軟性物品の底部に該載置板部の前後方向に長くなる凹状の溝を形成するための、起立壁、棒状材及びコイルばねから選ばれる一つの材料で構成された突状部を該載置板部の表面上に該載置板部の前端から後端にかけて設けて、該凹状の溝の両側を該載置板部に接触させると共に該両側壁に接触させることにより、該柔軟性物品を安定して起立させるようにし、且つ、
該載置板部に、冷蔵品収容庫内の冷気が通過する冷気循環孔を設けた
ことを特徴とする柔軟性物品の冷蔵用起立載置台である。
【０００７】
請求項２に記載された発明は、請求項１に記載された発明において、前記冷蔵品収容庫内に収容された冷蔵用起立載置台における載置板部には、冷気に接触する露出面が形成され、前記載置板部を貫通する冷気循環孔が、前記露出面から進入した冷気が前記冷蔵用起立載置台上の柔軟性物品を冷却する位置に設けられていることを特徴とするものである。
【０００８】
請求項３に記載された発明は、請求項１に記載された発明において、前記冷蔵品収容庫内に収容された冷蔵用起立載置台における載置板部が、該冷蔵用起立載置台の両端部に固着される網材により構成されることを特徴とするものである。
【０００９】
請求項４に記載された発明は、流動性液体を柔軟性の袋の中に収容した、起立したときに該支持部材の前後方向に倒れ易い、柔軟性物品を載置する冷蔵用起立載置台において、
（ａ）対向して設けられた一対の棒状の前端部及び棒状の後端部、（ｂ）該棒状の前端部の両側端から下方に屈曲して延びる脚部、（ｃ）該棒状の後端部の両側端から下方に屈曲して延びる脚部、（ｄ）該前端部の両側端から下方に屈曲して延びる脚部と該後端部の両側端から下方に屈曲して延びる脚部とをそれぞれ連結する左右の連結棒、及び、（ｅ）該棒状の前端部の中間部分の上面と該棒状の後端部の中間部分の上面とを連結した棒状の支持部材、を設けて、冷蔵品収容庫に載置されたときに、該棒状の前端部及び該棒状の後端部並びに該左右の連結棒の内側に冷蔵品収容庫内の冷気が通過可能な空間部を形成するようにし、そして、該起立状態の柔軟性物品の底部に厚さ方向に長くなる凹状の溝を形成するようにして、該凹状の溝の両側を該支持部材に接触させると共に該連結棒に接触させたことを特徴とする柔軟性物品の冷蔵用起立載置台である。
【００１０】
請求項５に記載された発明は、請求項１〜４のいずれか１項に記載された発明において、前記冷蔵品収容庫が、前面にガラス扉が設けられたリーチイン（冷蔵展示販売庫）であることを特徴とするものである。
【００１１】
【発明の実施の形態】
本発明の実施の形態について図面を参照して説明すると、図１は本発明の第１実施例の冷蔵用起立載置台Ａと柔軟性物品（商品）Ｂの斜視図、図２は起立状態にした商品Ｂを配列して載置した冷蔵用起立載置台Ａの斜視図である。
図１に示すように、商品Ｂは、折り畳まれた柔軟性の袋１の中に、流動性液体（ゼリー等の流動性のある粘性体を含む）を収容し、上部と底部を残して中央部分、特に中央部分の下側が膨れた形状になっている。
上部には筒部２を密閉するキャップ３が設けられている。
【００１２】
この商品Ｂを載置する冷蔵用起立載置台Ａは、載置板部５の両側に高さの低い側壁６が設けられ、載置板部５の前端に設けられる前部壁７の上端より外側に屈曲して折り返される商品表示用部８が設けられる。
載置板部５の後端に、側壁５と同じ高さの後部壁９が設けられ、載置板部５の上面には、側壁６に平行な起立壁１０が設けられる。
【００１３】
起立壁１０の両側の載置板部５には、載置板部５を貫通する複数の冷気循環孔１１が設けられる。
本実施例では、冷気循環孔１１を千鳥状に配列したが、載置板部５上の商品Ｂを冷却する冷気を供給するものであれば、如何なる配列であってもよい。
【００１４】
側壁６，６の間隔は、商品Ｂの幅寸法Ｓより僅かに大きく、前部壁７と後部壁９との間隔は、商品Ｂを配列して載置する長さに形成されている。
起立壁１０の位置は、載置板部５の幅方向の中央に設けられているが、中央より多少側壁６に寄った位置でもよい。
【００１５】
起立壁１０の高さは、柔軟物質である商品Ｂを起立したときの底部４に接触し、底部４のほぼ中央に、凹状の溝１２を形成する高さを有する（図３参照）。
凹状の溝１２の形成により、凹状の溝１２から押し出された内部の流動性液体が、底部４の前部及び後部に移動し、凹状の溝１２の長さ寸法Ｔ1 が、載置される前の底部４の厚さ寸法Ｔよりも大きくなり、起立状態の商品Ｂの転倒が防止される（図４参照）。
又、商品Ｂの底部４は、凹状の溝１１の両側が載置板部５に接触し、更に商品Ｂを倒れ難くする支持脚の機能を果たす（図３参照）。
【００１６】
かくして、冷蔵用起立載置台Ａの上に起立状態に保持された商品Ｂは、袋１の表面に記載された商標，商品名，宣伝などの記載が顧客に注目され易いので、販売が促進されるようになる。
本実施例では、一方の側壁６の下端部に外面に突出し、先端が上方に屈曲する連結部１３を設け、他方の側壁６の下端部に外面に突出し、先端が下方に屈曲する連結部１４を設けると（図１参照）、冷蔵用起立載置台Ａの連結部１３を他の冷蔵用起立載置台Ａの連結部１４に係合し、複数の冷蔵用起立載置台Ａを商店の陳列棚の上に一体的に結合して配列することができるようになっているが、冷蔵用起立載置台Ａは、連結部１３，１４を設けないものであってもよい。
【００１７】
以上の実施例では、載置板部５の上面に起立壁１０を設けたが、載置板部５の上面に突出して商品Ｂの底部４に凹状の溝１２を形成するものであれば如何なるものでもよく、例えば、前部壁７と後部壁９とを結ぶ棒状材，或いは、コイルばねであってもよい。
又、本実施例では、冷蔵用起立載置台Ａの載置板部５の表面に１条の長い起立壁１０を設けたが、冷蔵用起立載置台Ａの載置板部底壁５の表面に断続的につながる起立壁１０を設けてもよい。
【００１８】
冷蔵品収容庫（図示しない）は、コンビニエンスストア等に設置されているような、前面に設けられたガラス扉から冷却中の物品を透視することができるリーチイン（冷蔵展示販売庫）が使用されるが、前面が開口した商品陳列棚に冷気を供給する型式の冷蔵品収容庫であってもよい。
いずれの冷蔵品収容庫でも、起立した商品Ｂを容易に目視することができる。
【００１９】
冷蔵品収容庫の内壁に設けた載置用突起（図示しない）に、載置板部５の前後端部或いは左右の側端部を載せると、載置板部５の底面の大部分の領域が被覆されることなく露出している。
従って、載置板部５の下方の冷気が、冷気循環孔１１を通過して商品Ｂに接触し（図４参照）、起立状態の商品Ｂを効率よく冷却する。
【００２０】
図５は、本発明の第２実施例の冷蔵用起立載置台Ａ1 と商品Ｂとの斜視図であり、冷気を更に通過し易くするために、冷蔵用起立載置台Ａ1 の底面である載置板部５を網材５′により構成したものである。
すなわち、両側壁６，６の前部及び後部を接続する前部壁７及び後部壁９により形成される四角枠状の周壁１５の下端面に網材５′を固着し、前部壁７及び後部壁９には、起立壁１０に相当する支持部材１６の両端部が固着される（製作時には前部壁７，後部壁９，支持部材１６は一体成形される）。
網材５′は周壁１５のみならず、支持部材１６にも固着することができる。
その他の構成は、第１実施例の冷蔵用起立載置台Ａと同様である。
【００２１】
この第２実施例の冷蔵用起立載置台Ａ1 は、第１実施例の冷蔵用起立載置台Ａと同様に使用され、同様の効果を奏するが、第２実施例の冷蔵用起立載置台Ａ1 の方が冷気の通気抵抗が小さく、且つ、網材５′全面をほぼ均一に通過する利点がある。
【００２２】
図６は、本発明の第３実施例の冷蔵用起立載置台Ａ2 の斜視図であり、冷気を更に通過し易くするために、冷蔵用起立載置台Ａ2 の底面の大部分を、冷気が通過し易い空間部としたものである。
この冷蔵用起立載置台Ａ2 は、第１実施例の冷蔵用起立載置台Ａ1 の余肉を除去した骨組み構造であり、棒状の前端部１７の両側端から下方に屈曲して延びる脚部１７ａと、後端部１８の両側端から下方に屈曲して延びる脚部１８ａとを、それぞれ左右の連結棒１９，２０で連結し、前端部１７の中間部の上面と後端部１８の中間部の上面とを２本の支持部材２１で連結した一体構造のものである。
【００２３】
支持部材２１を２本としたのは、冷蔵用起立載置台Ａ2 の剛性を強化するためであり、１本或いは３本であってもかまわない。
前端部１７，後端部１８及び左右の連結棒１９，２０の内側には、きわめて大きな空間部が形成されるので、冷気の通過抵抗が殆どゼロになり、冷蔵用起立載置台Ａ2 に載置される商品Ｂを効果的に冷却する。
【００２４】
左右の連結棒１９，２０は、第１実施例の側壁６に相当し、商品Ｂを配列して載置する場合の案内になる。
【００２５】
支持部材２１は、第１実施例の起立壁１０の機能を果たすもので、冷蔵用起立載置台Ａ2 に載置された商品Ｂの底部に接触して、商品Ｂの底部に、商品Ｂの厚さ方向に長くなる凹状の溝（図３の符号１２を参照）を形成する。
【００２６】
本実施例は、商品の展示を目的とした冷蔵用起立載置台Ａについて述べたが、展示を目的としない冷蔵庫内に、多数の商品Ｂを配列状態にして載置するための載置台にも適用できる。
この場合にも、起立した各商品Ｂに冷気がほぼ均等に接触し、各商品Ｂが過不足なくほぼ均等の低温状態に保持される。
【００２７】
【発明の効果】
本発明は以上のように構成されているので、以下に記載されるような効果を奏する。
（１）本発明の冷蔵用起立載置台は、起立し難い不安定な柔軟性物品（商品）を、その柔軟性を逆に利用して起立状態に保持するようにしたので、柔軟性物品を起立状態に配列する作業が容易になり、柔軟性物品が整然と配列された状態に保持されて冷蔵収容庫内に収容される。
（２）商品は冷蔵用起立載置台の上に起立状態に配列されているので、いずれの商品も冷気循環孔を通過した冷気に接触し、均等に冷却される。
（３）冷蔵収容庫が、前面が開口する場合、或いは、ガラス扉の場合には、顧客が冷蔵中の起立した商品を容易に目視することができるので、顧客に注目され、販売促進される効果が生じる。
（４）本発明の冷蔵用起立載置台は、載置板部の上面に起立壁を設ける簡単な構造であるので、上記のような効果のある載置台を安価に提供できる効果がある。また、商品を起立して載置する台であれば、冷蔵保管にも利用できる。
【図面の簡単な説明】
【図１】  本発明の第１実施例の冷蔵用起立載置台と柔軟性物品（商品）の斜視図である。
【図２】  第１実施例の冷蔵用起立載置台に柔軟性物品（商品）を起立状態に配列して載置した状態を示す斜視図である。
【図３】  第１実施例の冷蔵用起立載置台に載置された柔軟性物品（商品）の正面図である。
【図４】  第１実施例の冷蔵用起立載置台に載置された柔軟性物品（商品）の側面図である。
【図５】  本発明の第２実施例の冷蔵用起立載置台と柔軟性物品（商品）の斜視図である。
【図６】  本発明の第３実施例の冷蔵用起立載置台の斜視図である。
【符号の説明】
Ａ，Ａ1  柔軟性物品の冷蔵用起立載置台
Ａ2   柔軟性物品の冷蔵用起立載置台
Ｂ  商品
１  柔軟性の袋
３  キャップ
４  底部
５  載置板部
１０  起立壁
１１  冷気循環孔
１２  凹状の溝
１５  網材の底面
１６  支持部材
１７  前端部
１８  後端部
１９，２０  連結棒
２１  支持部材
【図１】
0003655728.tif 000002
【図２】
0003655728.tif 000003
【図３】
0003655728.tif 000004
【図４】
0003655728.tif 000005
【図５】
0003655728.tif 000006
【図６】
0003655728.tif 000007